(57)【要約】【課題】  側溝の対向する側壁上部を低振動低騒音で除去すると共に残留する側溝の側壁のクラック及び欠損の発生を防止することが可能な側溝の側壁切断装置を提供する。【解決手段】  施設された側溝１１の対向する側壁１２、１３の上端部に沿ってそれぞれ移動する左右対となるつば付車輪１４〜１７を前後に備えた台車１８と、台車１８の移動方向に沿って台車１８上に載置されたレール部材１９と、レール部材１９に沿って進退する子台車２１と、子台車２１に設けられた回転駆動源２２によって回転駆動され、レール部材１９の幅方向にもその位置を変更可能な垂直回転軸２４と、垂直回転軸２４に装着された回転刃２５と、回転刃２５を台車１８に対して上下調整可能な高さ調整機構２６とを有する。【選択図】        図１
2006029015.tif 000002
【特許請求の範囲】
【請求項１】
施設された側溝の対向する側壁の上端部に沿ってそれぞれ移動する左右対となるつば付車輪を前後に備えた台車と、
前記台車の移動方向に沿って該台車上に載置されたレール部材と、
前記レール部材に沿って進退する子台車と、
前記子台車に設けられた回転駆動源によって回転駆動され、前記レール部材の幅方向にもその位置を変更可能な垂直回転軸と、
前記垂直回転軸に装着された回転刃と、
前記回転刃を前記台車に対して上下調整可能な高さ調整機構とを有することを特徴とする側溝の側壁切断装置。
【請求項２】
請求項１記載の側溝の側壁切断装置において、前記子台車は、前記レール部材上にラックピニオン機構を介して取付けられ、前記垂直回転軸は前記回転駆動源を軸心として回動可能なアームの先部に設けられ、前記垂直回転軸には前記回転駆動源から回転力伝達機構を介してその回転力が伝達されていることを特徴とする側溝の側壁切断装置。
【請求項３】
請求項１及び２のいずれか１項に記載の側溝の側壁切断装置において、前記左右対となるつば付車輪は前記台車の前後に設けられた車軸にそれぞれ設けられ、しかも、前記左右対となるつば付車輪はその幅を、前記側壁の幅に応じて変更可能となっていることを特徴とする側溝の側壁切断装置。
【請求項４】
請求項３記載の側溝の側壁切断装置において、前記車軸は前記台車に対して幅方向に位置調整可能に設けられていることを特徴とする側溝の側壁切断装置。
【請求項５】
請求項１〜４のいずれか１項に記載の側溝の側壁切断装置において、前記つば付車輪の全部又は一部には、ブレーキ手段が設けられていることを特徴とする側溝の側壁切断装置。
【請求項６】
請求項１〜５のいずれか１項に記載の側溝の側壁切断装置において、前記回転刃は、高さ調整部材を介して前記垂直回転軸に取付けられていることを特徴とする側溝の側壁切断装置。
【発明の詳細な説明】
【技術分野】
【０００１】
本発明は、施設された側溝の嵩上げ又は嵩下げの改修工事に伴う側溝の側壁上部の除去に使用する側溝の側壁切断装置に関する。
【背景技術】
【０００２】
道路の側部に施設されたコンクリート製の側溝の嵩上げ又は嵩下げの改修工事を行なおうとする場合、側溝の対向する側壁に形成された側溝蓋収容部を含めた側壁上部分を除去する必要がある。このため、従来は側溝蓋を撤去して側壁の上部側の除去範囲を決める切断線の墨出し作業を行ない、切断線に沿って、例えば深さ５ｃｍ程度の案内用の切り込みを形成した後、ブレーカーにより案内用の切り込みに沿って除去部の破砕を行なっていた。ここで、案内用の切り込みは、例えば、特許文献１に記載されているようにエアーカッターを用いて行なうことができる。
【０００３】
【特許文献１】特開平９−１７７０７７号公報
【発明の開示】
【発明が解決しようとする課題】
【０００４】
しかしながら、除去範囲に存在する側壁部分をブレーカーにより破砕するため騒音や振動が発生して作業環境が悪化すると共に、周囲にも騒音や振動が拡散し生活環境も悪影響を受けるという問題が生じる。更に、破砕しながら側壁の上部側を撤去していくので、案内用の切り込みを形成していても残留する側溝の側壁にクラックや欠損が発生し易く、発生したクラックや欠損の補修を行なう必要が生じ、改修工事の工期が長くなると共に改修工事コストも上昇するという問題があった。
【０００５】
本発明はかかる事情に鑑みてなされたもので、施設された側溝の対向する側壁上部を低振動低騒音で除去すると共に残留する側溝の側壁のクラック及び欠損の発生を防止することが可能な側溝の側壁切断装置を提供することを目的とする。
【課題を解決するための手段】
【０００６】
前記目的に沿う請求項１記載の側溝の側壁切断装置は、施設された側溝の対向する側壁の上端部に沿ってそれぞれ移動する左右対となるつば付車輪を前後に備えた台車と、
前記台車の移動方向に沿って該台車上に載置されたレール部材と、
前記レール部材に沿って進退する子台車と、
前記子台車に設けられた回転駆動源によって回転駆動され、前記レール部材の幅方向にもその位置を変更可能な垂直回転軸と、
前記垂直回転軸に装着された回転刃と、
前記回転刃を前記台車に対して上下調整可能な高さ調整機構とを有している。
【０００７】
請求項２記載の側溝の側壁切断装置は、請求項１記載の側溝の側壁切断装置において、前記子台車は、前記レール部材上にラックピニオン機構を介して取付けられ、前記垂直回転軸は前記回転駆動源を軸心として回動可能なアームの先部に設けられ、前記垂直回転軸には前記回転駆動源から回転力伝達機構を介してその回転力が伝達されている。
【０００８】
請求項３記載の側溝の側壁切断装置は、請求項１及び２記載の側溝の側壁切断装置において、前記左右対となるつば付車輪は前記台車の前後に設けられた車軸にそれぞれ設けられ、しかも、前記左右対となるつば付車輪はその幅を、前記側壁の幅に応じて変更可能となっている。
【０００９】
請求項４記載の側溝の側壁切断装置は、請求項３記載の側溝の側壁切断装置において、前記車軸は前記台車に対して幅方向に位置調整可能に設けられている。
【００１０】
請求項５記載の側溝の側壁切断装置は、請求項１〜４記載の側溝の側壁切断装置において、前記つば付車輪の全部又は一部には、ブレーキ手段が設けられている。
【００１１】
請求項６記載の側溝の側壁切断装置は、請求項１〜５記載の側溝の側壁切断装置において、前記回転刃は、高さ調整部材を介して前記垂直回転軸に取付けられている。
【発明の効果】
【００１２】
請求項１〜６記載の側溝の側壁切断装置においては、側溝の側壁上部を回転刃による切断で除去するので、低振動低騒音の作業が可能になると共に、残留する側溝の側壁にクラック及び欠損が発生するのを防止することが可能になる。また、つば付車輪のつばの側部を側壁の上端部の側面に当接させながら回転してつば付車輪が側壁の上端部を移動するので、対となるつば付車輪の位置が側壁の上端部により規制され側溝内に脱輪するのが防止でき、台車を側壁の上端部に沿って確実に移動させることが可能になる。また、回転刃は台車上に載置されたレール部材に沿って進退する子台車に設けられた回転駆動源によって回転駆動される垂直回転軸に装着されているので、回転刃を切断場所まで容易に移動することが可能になる。そして、垂直回転軸はレール部材の幅方向にもその位置を変更できるので、任意に選択された一方の側壁に向けて回転刃を移動させ切断を行なうことが可能になる。更に、回転刃は高さ調整機構により台車に対して上下調整可能になっているので、切断場所まで移動した回転刃の位置を側壁の切断位置に合わせて調整することが可能になる。
【００１３】
特に、請求項２記載の側溝の側壁切断装置においては、子台車は、レール部材上にラックピニオン機構を介して取付けられているので、子台車の進退力を一定に保持しながらレール部材に沿って進退することが可能になる。また、垂直回転軸は回転駆動源を軸心として回動可能なアームの先部に設けられ、垂直回転軸には回転駆動源から回転力伝達機構を介してその回転力が伝達されているので、一方の側壁の切断作業が終了するとアームを回動させて他方の側壁の切断を開始することが可能になる。その結果、側壁の切断作業効率を向上させ工期の短縮が可能になる。
【００１４】
請求項３記載の側溝の側壁切断装置においては、左右対となるつば付車輪は台車の前後に設けられた車軸にそれぞれ設けられ、しかも、左右対となるつば付車輪はその幅を、側壁の幅に応じて変更可能となっているので、台車を種々の幅を有する側溝の側壁の上端部に沿って移動させることが可能になり、任意の幅を有する側溝の側壁の切断を行なうことが可能になる。
【００１５】
請求項４記載の側溝の側壁切断装置においては、車軸は台車に対して幅方向に位置調整可能に設けられているので、側溝の周辺に障害物が存在しても障害物から台車を遠ざけることができ、常に台車を側壁の上端部に沿って移動させることが可能になる。その結果、側溝の周辺に障害物が存在しても側壁の切断を実施することが可能になる。
【００１６】
請求項５記載の側溝の側壁切断装置においては、つば付車輪の全部又は一部には、ブレーキ手段が設けられているので、回転刃で側壁を切断中に回転刃に加わる反力により台車が移動するのを防止でき、寸法精度の高い切断を行なうことが可能になる。その結果、切断面の後処理（例えば、コンクリートの打ち継ぎ目荒らし作業）の負担が軽減され、工期を短縮することが可能になる。
【００１７】
請求項６記載の側溝の側壁切断装置においては、回転刃は、高さ調整部材を介して垂直回転軸に取付けられているので、高さ調整機構と組み合わせることにより側壁の切断位置を更に広い範囲に設定することが可能になる。
【発明を実施するための最良の形態】
【００１８】
続いて、添付した図面を参照しつつ、本発明を具体化した実施の形態につき説明し、本発明の理解に供する。
ここで、図１は本発明の一実施の形態に係る側溝の側壁切断装置の平面図、図２は同側溝の側壁切断装置の一部省略正断面図、図３（Ａ）、（Ｂ）はそれぞれ同側溝の側壁切断装置において回転刃を垂直回転軸に固定する高さ調整部材の側断面図及び平面図、図４は同側溝の側壁切断装置で側壁を切断する際の説明図である。
【００１９】
図１、図２に示すように、本発明の一実施の形態に係る側溝の側壁切断装置（以下、単に側壁切断装置という）１０は、施設された側溝１１の対向する側壁１２、１３の上端部に沿ってそれぞれ移動する左右対となるつば付車輪１４〜１７を前後に備えた台車１８と、台車１８の移動方向に沿って台車１８上に載置されたレール部材１９を有している。また、側壁切断装置１０は、レール部材１９上にラックピニオン機構２０を介して取付けられレール部材１９に沿って進退する子台車２１と、子台車２１に設けられた回転駆動源２２から回転力伝達機構の一例であるベルト２３を介してその回転力が伝達され、レール部材１９の幅方向にその位置を変更可能な垂直回転軸２４を有している。更に、側壁切断装置１０は、垂直回転軸２４に装着された回転刃２５と、回転刃２５の高さ位置を台車１８に対して上下調整可能な高さ調整機構２６を有している。以下これらについて、詳細に説明する。
【００２０】
台車１８は、側溝１１の長手方向に沿って平行に隙間を設けて配置された第１の梁部材２７、２８と側溝１１の幅方向に沿って平行に隙間を設けて配置された第２の梁部材２９、３０から構成される枠体３１を有している。また、第２の梁部材２９の両側部には前方に向けて平行に突出する対となる側板３２、３３が設けられ、第２の梁部材３０の両側部には後方に向けて平行に突出する対となる側板３４、３５が設けられている。そして、側板３２、３３には車軸３６が挿通され、側板３２、３３の両側に配置された抜け止め防止部材３７により側板３２、３３に取付けられている。また、側板３４、３５には車軸３８が挿通され、側板３４、３５の両側に配置された抜け止め防止部材３７により側板３４、３５に取付けられている。これによって、車軸３６、３８を台車１８に対して幅方向に位置調整可能に設けることができる。ここで、各車軸３６、３８の長さは台車１８の幅より大きく形成されていることが好ましい。これによって、側溝の幅（対向する側壁間の距離）が台車１８の幅より大きくなっても、台車１８を側溝の側壁の上端部に配置することができる。
【００２１】
台車１８の前側に設けた車軸３６の両側にはつば付車輪１４、１５が、台車１８の後側に設けた車軸３８の両側にはつば付車輪１６、１７がそれぞれ軸受を介して挿通され、各つば付車輪１４〜１７は両側から車軸３６、３８に固定部材（例えば、止めねじ付きのリング状金物）３９を用いて車軸３６、３８の軸方向にずれないようにそれぞれ固定されている。これによって、左右対となるつば付車輪１４、１５（１６、１７）間の距離を任意に変更することができると共に、その距離を一定に保つことができる。
ここで、各つば付車輪１４〜１７は、側壁１２、１３の上端面に当接して回転する外輪４０と、外輪４０の内側面に密接し外径が外輪４０より大きく外周部の外側面（外輪４０側）を側壁１２、１３の上端部の側面７３に当接しながら回転するつばとなる内輪４１を有している。これによって、側壁１２、１３の上端部をつば付車輪１４〜１７が移動する際、つば付車輪１４〜１７が側溝１１内に脱輪するのを防止できると共に、つば付車輪１４〜１７を側壁１２、１３の上端部に沿って移動させることができる。
更に、つば付車輪１４、１５には、つば付車輪１４、１５の回転を防止するブレーキ手段４２が設けられている。ここで、ブレーキ手段４２は、例えば、内輪４１の外周部に当接するゴム製のパッド４３と、パッド４３を内輪４１に対して進退させる支持部材４４と、支持部材４４の進退を停止させて台車１８に取付け台４５を介して固定するクランプ４６を有している。これによって、台車１８を側溝１１の任意の位置で移動不能にすることができる。
【００２２】
レール部材１９には複数のレールブロック４７（本実施の形態では２個）の一端側が固定され、レールブロック４７の他端側が高さ調整機構２６を介して第１の梁部材２８に載置されている。これによって、レール部材１９を台車１８の移動方向に沿って台車１８上に載置することができる。
ここで、高さ調整機構２６は、図４に示すように、レールブロック４７の他端側に取付けられ中央部に雌ねじが形成された昇降部４８と、昇降部４８の雌ねじに螺合し基部が第１の梁部材２８に回転可能に取付けられた雄ねじ部４９を有している。そして、雄ねじ部４９の先部にはハンドル５０が設けられている。このような構成とすることにより、雄ねじ部４９のハンドル５０を同期して回転させることにより、昇降部４８を雄ねじ部４９に対して同期して進退させてレールブロック４７を上下動させることができ、レール部材１９の高さ位置を台車１８に対して調整することができる。
【００２３】
子台車２１は、ラックピニオン機構２０を介してレール部材１９に取付けられレール部材１９上を進退する移動部５１を有している。また、ラックピニオン機構２０は、レール部材１９上に設けられたラック５２と、移動部５１に設けられラック５２と噛み合う図示しない歯車及び歯車を回動する図示しない歯車機構を備えた油圧モータを有している。また、子台車２１は移動部５１に取付けられた回転駆動源２２を有し、回転駆動源２２には油圧モータ５３と、油圧モータ５３の回転駆動軸５４を軸心として回動可能なアーム５５が設けられている。そして、アーム５５の先部には軸受５６を介して垂直回転軸２４が取付けられ、垂直回転軸２４には回転駆動軸５４からベルト２３を介してその回転力が伝達されている。
このような構成とすることにより、油圧源６６（図４参照）から供給される加圧された油を給油口６７を介してラックピニオン機構２０の油圧モータ及び回転駆動源２２の油圧モータ５３にそれぞれ分配することにより、移動部５１をレール部材１９上で進退させたり、油圧モータ５３を駆動させたり、移動部５１をレール部材１９上で進退させながら油圧モータ５３の回転駆動軸５４を回転させることができる。また、アーム５５を回転駆動軸５４の周りに回動させることにより、垂直回転軸２４を回転駆動軸５４の周りの任意の角度位置に移動させることができる。
【００２４】
回転刃２５は、円板状の鉄板５７と、鉄板５７の外周部に、例えば、銅系合金を結合材としてダイヤモンド砥粒を分散させたダイヤモンド層５８を有しており、鉄板５７の中央部側には同一半径の円周上に複数の取付け孔が形成されている。なお、回転刃２５の外径は側壁１２、１３の内面間の距離より小さくすることが好ましい。これによって、側壁１２、１３の間に回転刃２５を容易に装入することができる。また、垂直回転軸２４の先部には外周側に複数のねじ穴が形成されたフランジ５９が取付けられ、回転刃２５はフランジ５９に、図３に示すような高さ調整部材６０を介して取付けられる。ここで、高さ調整部材６０は、円板状の基部６１及び基部６１の一方の面に連接し縮径した円柱状の先部６２を備えている。そして、基部６１の外周側にはフランジ５９に形成した各ねじ穴に連通するように貫通孔６３が形成され、先部６２の端面の外周側には回転刃２５に設けた各取付け孔に連通するようにねじ穴６４が形成されている。
これによって、高さ調整部材６０の先部６２の端面上にねじ穴６４に取付け孔が連通するように回転刃２５を載置し、外周側に各ねじ穴６４に連通するように挿通孔を形成したブレード押え６５を被せて、挿通孔及び取付け孔を介して止めねじをねじ穴６４にねじ込むことにより、高さ調整部材６０の先部６２の端面上に回転刃２５を取付けることができる。このように、高さ調整部材６０を介して回転刃２５を垂直回転軸２４に取付けるようにすると、先部６２の長さＨに相当する長さだけ回転刃２５を垂直回転軸２４の先端から離して取付けることができ、例えば、側壁１２、１３の上端面からより下方の位置の切断を行なうことができる。更に、高さ調整機構２６と組み合わせることにより側壁１２、１３の切断位置を広い範囲に設定することが可能になる。なお、図３の高さ調整部材６０は上下逆方向に記載されている。
【００２５】
以上のような構成とすることにより、アーム５５を回転駆動軸５４の周りで任意の角度回動させ固定することでアーム５５の位置決めを行なうことができ、油圧モータ５３を駆動することで、位置決めしたアーム５５の先部で垂直回転軸２４を回転させて回転刃２５を回転することができる。このため、アーム５５を回動させて垂直回転軸２４に取付けらた回転刃２５を側壁１２、１３から選択された一方の側壁１３に当接させて切り込むことができる。
次いで、切り込んだ回転刃２５をレール部材１９に沿って一端側から他端側に向かって移動することにより、側壁１３の上側をレール部材１９に沿って連続して切断することができる。そして、側壁１３の上側の切断が完了すると回転刃２５を側壁１３から引き出しレール部材１９の一端側に戻してから、アーム５５を逆方向に回動させて垂直回転軸２４に取付けらた回転刃２５を他方の側壁１２に当接させて切り込み、レール部材１９に沿って一端側から他端側に向かって移動させて側壁１２の上側をレール部材１９に沿って連続して切断することができる。
【００２６】
次に、本発明の一実施の形態に係る側溝の側壁切断装置１０の使用方法について説明する。
図１、図２、及び図４に示すように、例えば、道路６８に施設されている側溝１１の側溝蓋を撤去する。これによって、側溝１１の上部に側壁１２、１３の上端部を縁部とする開口部７０が形成され、開口部７０の両側には側溝蓋を収容していた受け入れ部７１が現れる。そして、側壁１２、１３の上部側の除去範囲を決める切断線７２を側壁１２、１３に記入する作業（墨出し作業）を行なう。
【００２７】
次いで、側溝１１の周囲に障害物が存在しているか確認し、障害物が存在する場合は側溝１１の側壁１２、１３からの距離を測定して、台車１８が側壁１２、１３の上端部に沿って移動する際に障害物と接触しないように、側壁１２、１３に対する車軸３６、３８及び台車１８の位置をそれぞれ決定する。そして、側壁１２、１３に対する車軸３６、３８及び台車１８の位置関係に基づいて、抜け止め防止部材３７を用いて車軸３６、３７を台車１８に固定する。
続いて、側壁１２、１３に設けられた受け入れ部７１の側面７３間の距離を測定して、左右対となるつば付車輪１４、１５（１６、１７）の内輪４１の外周部の外側面が対向する側壁１２、１３の受け入れ部７１の側面７３に当接し、外輪４０が側壁１２、１３の上端部に当接するようにつば付車輪１４、１５（１６、１７）間の距離を求める。そして、求めたつば付車輪１４、１５（１６、１７）間の距離が確保されるように、車軸３６に対してつば付車輪１４、１５を固定部材３９を用いて固定し、車軸３８に対してつば付車輪１６、１７を固定部材３９を用いて固定する。その後、台車１８を吊り上げて側溝１１の開口部７０の一部に被さるように配置し、徐々に下降させて側壁１２、１３の上端部に外輪４０を当接させる。これによって、側溝１１の側壁１２、１３の上端部への台車１８の配置が完了する。
【００２８】
側壁１２、１３の上端部への台車１８の配置が完了すると、アーム５５を回転駆動軸５４の周りに回動させて垂直回転軸２４が側溝１１の中央部に配置されるようにして、粗切り用の回転刃２５を高さ調整部材６０を介して垂直回転軸２４に取付ける。更に、図４に示すように、油圧源６６と給油口６７を油圧ホース７４で接続し、油圧源６６と可搬式発電機７５を電源ケーブル７６で接続する。なお、側壁１２、１３に記入した切断線７２の高さ位置と、高さ調整機構２６により可能な垂直回転軸２４の先部の高さ位置調整範囲を比較して、最適な先部６２の長さＨを有する高さ調整部材６０を選択する。
次いで、レール部材１９の一端側に回転刃２５が配置されるように子台車２１をレール部材１９に沿って移動すると共に、台車１８を側壁１２、１３の切断開始位置まで移動する。そして、高さ調整機構２６のハンドル５０を操作して垂直回転軸２４の先部の高さ位置を変化させて、回転刃２５のダイヤモンド層５８の高さ位置を、例えば、側壁１３に記入した切断線７２の高さ位置に調整して固定する。更に、支持部材４４を移動させてパッド４３を内輪４１の外周部に当接させ、クランプ４６を用いて固定することによりブレーキ手段４２を作動状態にし台車１８の移動を防止する。
【００２９】
可搬式発電機７５を運転して油圧源６６を駆動させ、油圧ホース７４を介して給油口６７に油を供給して、ラックピニオン機構２０の油圧モータ及び油圧モータ５３を駆動させる。そして、図示しない給水装置から水を回転刃２５に吹き付けながら回転させ、アーム５５を回転駆動軸５４の周りに回動させることにより側壁１３に記入した切断線７２の位置に沿って回転刃２５を切り込ませる。回転刃２５の切り込み深さが予め設定した深さに到達した時点でアーム５５の回動を停止し、回転刃２５の切り込みを停止する。
次いで、ラックピニオン機構２０を駆動させ移動部５１を介して子台車２１をレール部材１９の一端側から他端側に向けて移動させることにより垂直回転軸２４に取付けた回転刃２５を切断線７２に沿って移動させる。これにより、側壁１３に記入した切断線７２に沿って連続的に粗切り溝７７を形成することができる。
【００３０】
側壁１３に記入した切断線７２に沿った粗切り溝７７の形成が終了すると、アーム５５を逆方向に回動させて回転刃２５を側壁１３から引き出し、油圧モータ５３及び給水装置を停止する。次いで、ラックピニオン機構２０を逆駆動させて回転刃２５をレール部材１９の一端側に戻し、粗切り用の回転刃２５を垂直回転軸２４から取り外して仕上げ用の回転刃を高さ調整部材６０を介して垂直回転軸２４に取付ける。そして、油圧モータ５３を駆動させて給水装置から水を仕上げ用の回転刃に吹き付けながら回転させ、アーム５５を回転駆動軸５４の周りに回動させて側壁１３に形成した粗切り溝７７に仕上げ用の回転刃を切り込ませ、側壁１３の未切断部の切断を行なう。未切断部の切断が完了した時点でアーム５５の回動を停止し、仕上げ用の回転刃の切り込みを停止する。
次いで、ラックピニオン機構２０を駆動させ子台車２１をレール部材１９の一端側から他端側に向けて移動させることにより仕上げ用の回転刃を移動させ、側壁１３に存在している残りの未切断部の切断を連続して行なう。これによって、側壁１３側の切断が完了する。
【００３１】
側壁１３側の切断が完了すると、アーム５５を逆方向に回動させて、仕上げ用の回転刃を側壁１３から引き出し油圧モータ５３及び給水装置を停止する。次いで、ラックピニオン機構２０を逆駆動させて仕上げ用の回転刃をレール部材１９の一端側に戻し、仕上げ用の回転刃を垂直回転軸２４から取り外して粗切り用の回転刃２５を再度高さ調整部材６０を介して垂直回転軸２４に取付ける。そして、油圧モータ５３を駆動させて給水装置から水を回転刃２５に吹き付けながら回転させ、アーム５５を回転駆動軸５４の周りに回動させることにより側壁１２に記入した切断線７２の位置に回転刃２５を切り込ませ、回転刃２５を移動させて側壁１２に記入した切断線７２に沿って連続的に粗切り溝７７を形成する。
なお、側壁１２側の切断線７２の高さ位置が側壁１３側の切断線７２の高さ位置と異なる場合は、高さ調整機構２６のハンドル５０を操作して垂直回転軸２４の先部の高さ位置を変化させて、回転刃２５のダイヤモンド層５８の高さ位置が側壁１２側の切断線７２の高さ位置に実質的に一致するように位置調整を行なってから切り込みを行なうようにする。
粗切り溝７７の形成が終了すると、粗切り用の回転刃２５を垂直回転軸２４から取り外して仕上げ用の回転刃を高さ調整部材６０を介して垂直回転軸２４に取付け、粗切り溝７７に回転刃を切り込ませ側壁１２に存在している未切断部の切断を連続して行なって側壁１２側の切断を完了させる。
【００３２】
レール部材１９の長さに相当した範囲における側壁１２、１３の切断が完了すると、クランプ４６を操作し支持部材４４を移動させてパッド４３を内輪４１の外周部から離脱させブレーキ手段４２の作動を終了させる。次いで、台車１８を側壁１２、１３の上端部に沿ってレール部材１９の長さに相当する距離だけ移動させて、再度ブレーキ手段４２を作動状態にして台車１８の移動を停止させ、レール部材１９に対向する範囲の側壁１２、１３に記入された切断線７２に沿って切断を行なう。このように、台車１８をレール部材１９の長さに相当する距離だけ移動させながら側壁１２、１３の切断を行なうことを繰り返すことで、側溝１１の側壁１２、１３の上部側の切断作業を行なうことができる。そして、切断線７２を記入した範囲の側壁１２、１３の上部側の切断作業が終了すると、台車１８を吊り上げて側溝１１から退去させ、切り離した側壁部を撤去する。
【００３３】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の側溝の側壁切断装置を構成する場合も本発明の権利範囲に含まれる。
例えば、ラックピニオン機構及び回転駆動源に油圧モータを使用したが、電動モータを使用することもできる。また、ブレーキ手段を移動方向前側のつば付車輪にそれぞれ設けたが、前側の一方のつば付車輪にだけ設けても、後側のつば付車輪のいずれか一方又は双方に設けてもよい。更に、切断時に台車に加わる反作用力が大きな場合は、各つば付車輪と側壁の上端部との隙間にストッパーを設けても、全てのつば付車輪にブレーキ機構を設けるようにしてもよい。
更に、側溝の側壁における切断位置に応じてつば付車輪の外径を選択するようにしてもよい。これによって、高さ調整機構及び高さ調整部材と組み合わせることにより、側壁の切断位置を更に広い範囲に設定することが可能になる。
【図面の簡単な説明】
【００３４】
【図１】本発明の一実施の形態に係る側溝の側壁切断装置の平面図である。
【図２】同側溝の側壁切断装置の一部省略正断面図である。
【図３】（Ａ）、（Ｂ）はそれぞれ同側溝の側壁切断装置において回転刃を垂直回転軸に固定する高さ調整部材の側断面図及び平面図である。
【図４】同側溝の側壁切断装置で側壁を切断する際の説明図である。
【符号の説明】
【００３５】
１０：側溝の側壁切断装置、１１：側溝、１２、１３：側壁、１４〜１７：つば付車輪、１８：台車、１９：レール部材、２０：ラックピニオン機構、２１：子台車、２２：回転駆動源、２３：ベルト、２４：垂直回転軸、２５：回転刃、２６：高さ調整機構、２７、２８：第１の梁部材、２９、３０：第２の梁部材、３１：枠体、３２、３３：側板、３４、３５：側板、３６：車軸、３７：抜け止め防止部材、３８：車軸、３９：固定部材、４０：外輪、４１：内輪、４２：ブレーキ手段、４３：パッド、４４：支持部材、４５：取付け台、４６：クランプ、４７：レールブロック、４８：昇降部、４９：雄ねじ部、５０：ハンドル、５１：移動部、５２：ラック、５３：油圧モータ、５４：回転駆動軸、５５：アーム、５６：軸受、５７：鉄板、５８：ダイヤモンド層、５９：フランジ、６０：高さ調整部材、６１：基部、６２：先部、６３：貫通孔、６４：ねじ穴、６５：ブレード押え、６６：油圧源、６７：給油口、６８：道路、７０：開口部、７１：受け入れ部、７２：切断線、７３：側面、７４：油圧ホース、７５：可搬式発電機、７６：電源ケーブル、７７：粗切り溝
【図１】
2006029015.tif 000003
【図２】
2006029015.tif 000004
【図３】
2006029015.tif 000005
【図４】
2006029015.tif 000006